(57)【特許請求の範囲】
【請求項１】
フイルム通路を遮断する閉じ位置と開放する開き位置との間で回動自在にされた蓋部材が組み込まれたパトローネが製造時に装填されるパトローネ収納室と、このパトローネ収納室の底面を塞ぐ開閉自在な底蓋とを備え、製造時に装填されたパトローネを取り出す際に前記底蓋が開かれるレンズ付きフイルムユニットにおいて、
パローネ収納室の外側に組み付けられた回動部材と付勢手段と係止部材とを備え、前記回転部材は、前記底蓋と反対側の前記蓋部材の上端部に係合されるとともに前記開き位置に対応する第１回転位置に組み付けられ、付勢手段の付勢力により前記第１回転位置から前記閉じ位置に対応する第２回転位置に回転し、前記係止部材は、前記付勢手段の付勢に抗し前記回動部材を第１回転位置に係止する係止位置に組み付けられ、前記底蓋の開放に連動して、前記回動部材の係止を外した係止解除位置に変位することを特徴とするレンズ付きフイルムユニット。
【請求項２】
前記回動部材は、前記パトローネ収納室を形成する壁面の外部に組み付けられるとともに、このパトローネ収納室の内壁面に係合する係合爪を備えており、前記回動部材が前記壁面の外部から脱落しないようにしたことを特徴とする請求項１記載のレンズ付きフイルムユニット。
【請求項３】
前記係止部材は、一端で前記回動部材を係止する係止位置とその係止を外す係止解除位置との間で、前記蓋部材の回動中心軸と平行にスライド移動可能な連結棒からなり、前記底蓋の開放に連動して前記連結棒をパトローネ収納室の底面方向にスライド移動させて、係止位置から係止解除位置に変位させることにより、前記回動部材を前記付勢手段の付勢力で回動させて前記蓋部材を閉じ位置に回動させることを特徴とする請求項１記載のレンズ付きフイルムユニット。
【請求項４】
前記底蓋は、前記パトローネ収納室の底面を塞ぐ位置と開放する位置との間で回動自在であるとともに、前記連結棒の他端と係合する係合部材を備え、この底蓋の開放に連動して前記連結棒が前記パトローネ収納室の底面方向に引かれることにより、前記連結棒が係止解除位置に変位するようにしたことを特徴とする請求項３記載のレンズ付きフイルムユニット。
【請求項５】
前記連結棒は、係止位置から不正規に移動しないようにするための組み付け位置保持手段を備えていることを特徴とする請求項請求項３又は４記載のレンズ付きフイルムユニット。
【請求項６】
前記組み付け位置保持手段は、前記連結棒のスライド移動の方向と直交する方向に突出させて連結棒と一体に形成した凸部であり、前記連結棒が係止位置にあるときに、前記凸部が前記連結棒をスライド自在に保持する前記パトローネ収納室の外部に設けられた係合爪の前記連結棒の一端側に当接することにより、前記連結棒の前記パトローネ収納室の底面方向へのスライド移動を規制して、係止位置から不正規に移動しないようにしたことを特徴とする請求項５記載のレンズ付きフイルムユニット。
【請求項７】
前記凸部は、前記底蓋の開放に連動して前記連結棒がパトローネ収納室の底面方向に引かれた際には、前記係合爪を弾性変形させて前記パトローネ収納室の底面側への移動が可能な形状とされ、前記底蓋の開放に際して前記連結棒の底面方向へのスライド移動が許容されるようにしたことを特徴とする請求項６記載のレンズ付きフイルムユニット。
【請求項８】
前記係止部材は、一端で前記回動部材を係止する係止位置とその係止を外す係止解除位置との間で、前記蓋部材の回動中心軸と平行にスライド移動可能な連結棒と、この連結棒に前記底蓋方向の付勢力を与える連結棒付勢手段とからなり、前記底蓋が閉じている時には、この底蓋で前記連結棒の他端を連結棒付勢手段の付勢に抗して押し上げて蓋部材を開き位置に留めるように前記連結棒の一端で前記回動部材を第１回転位置に係止し、前記底蓋が開放された時には、前記連結棒のパトローネ収納室の底面方向への移動が許容され、前記連結棒付勢手段の付勢力で前記連結棒が前記底面方向にスライド移動し、係止位置から係止解除位置に変位されることにより、前記回動部材を前記付勢手段の付勢力で第２回転位置に回動させて前記蓋部材を閉じ位置に回動させることを特徴とする請求項１記載のレンズ付きフイルムユニット。
【請求項９】
前記係止部材は、前記蓋部材の回動中心軸と直交する軸を中心に回動自在に設けられるとともに、一端が前記回動部材に係合し他端が前記底蓋に接触するようにしたレバーから構成されており、前記底蓋が閉じている時には、この底蓋で前記レバーの他端の移動が規制されることにより前記レバーの回動が阻止され、前記付勢手段の付勢に抗し、前記レバーの一端で前記蓋部材を開き位置に留めるように前記回動部材を第１回転位置に係止し、前記底蓋を開放した時には、この底蓋の開放にともなって前記レバーの回動が許容されて、前記付勢手段の付勢力で前記回動部材が前記レバーの一端を押圧して前記レバーを回動させながら第２回転位置に回動することにより、前記蓋部材が閉じ位置に回動されることを特徴とする請求項１記載のレンズ付きフイルムユニット。
【請求項１０】
前記係止部材は、前記蓋部材の回動中心軸と平行な軸を中心にして回動自在に設けられるとともに、径方向に突出するようにして一端に第１の突起が他端に第２の突起が形成された連結棒からなり、前記底蓋は、前記第２の突起に係合する係合片が設けられており、この底蓋が閉じている時には、前記係合片で第２の突起を係止して前記連結棒の回動を阻止し、前記付勢手段の付勢力に抗し、前記第１の突起で前記蓋部材を開き位置に留めるように前記回動部材を第１回転位置に係止し、前記底蓋が開放された時には、前記係合片と前記第２の突起との係止が外れることにより、前記連結棒の回動が許容されて、前記回動部材が前記付勢手段の付勢力で前記第１の突起を押圧して前記連結棒を回動させながら第２回転位置に回動することにより、前記蓋部材が閉じ位置に回動されることを特徴とする請求項１記載のレンズ付きフイルムユニット。
【請求項１１】
前記連結棒は、前記パトローネ収納室の外部に形成された弾性変形可能な係合爪に係合して保持されることを特徴する請求項３，４，８，１０のいずれか１項に記載のレンズ付きフイルムユニット。
【請求項１２】
フイルム通路を遮断する閉じ位置と開放する開き位置との間で回動自在な蓋部材が組み込まれたパトローネと、このパトローネに回転自在に収納されたスプールに一端側が係止され他端側がロール状にまとめられた写真フイルムとが予めユニット本体内に装填され、使用後には露光済みの写真フイルムを全て前記パトローネに巻き込んで前記蓋部材を閉じた後に、パトローネをユニット本体から取り出すようにしたレンズ付きフイルムユニットにおいて、
前記パトローネを収納するパトローネ収納室の上面に回動自在に組み込まれ、下端部に前記蓋部材の一端を係合して蓋部材を開閉するキー軸が設けられた回動部材と、この回動部材を介して前記蓋部材が開き位置から閉じ位置に向かって回動するように付勢力を与えるバネ部材と、このバネ部材の付勢に抗し、蓋部材を開き位置に留めるように前記回動部材の位置規制を行う係止手段と、前記写真フイルムの最終コマへの撮影操作の終了後、パトローネ取り出しのためにパトローネ収納室の少なくとも一部が開放されるまでの間に、前記係止手段による位置規制を解除して回動部材を前記バネ部材の付勢力で回動させ、光密状態に保たれたパトローネ収納室内で前記蓋部材を閉じ位置に回動させる係止解除手段とを備えたことを特徴とするレンズ付きフイルムユニット。
【請求項１３】
キー穴が端部に形成され、フイルム通路を遮断する閉じ位置と開放する開き位置との間で回動自在にされた蓋部材が組み込まれたパトローネが用いられ、このパトローネが底面から装填されるパトローネ収納室と、このパトローネ収納室の上面側で前記キー穴と係合するキー軸が設けられ、前記蓋部材を開き位置と閉じ位置とにする各位置の間で回動自在な回動部材と、この回動部材を介して蓋部材を開き位置から閉じ位置に向けた付勢力を与える付勢手段と、前記蓋部材を開き位置に留めるように前記回転部材を係止する位置と前記回動部材の係止を外す位置との間で蓋部材の回動中心軸と平行な軸に沿ってスライド自在な連結棒とを備え、前記パトローネ収納室の前記底蓋の開放に連動して、前記連結棒を前記回動部材の係止を外す位置にスライド移動させることにより、前記回動部材を前記付勢手段の付勢力で回動させて前記蓋部材が閉じ位置に回動させるようにしたレンズ付きフイルムユニットの製造方法において、
前記連結棒を前記回動部材を係止する位置に組み付けた後に、前記回動部材をパトローネ収納室に組み付けるとともに、前記付勢手段を組み付けて前記回動部材を蓋部材の閉じ位置方向に向けて付勢することにより、この回動部材を前記蓋部材の開き位置に対応する位置で前記連結棒に係止された状態にして後工程に搬送するようにしたことを特徴とするレンズ付きフイルムユニットの製造方法。
【発明の詳細な説明】
【０００１】
【発明の属する技術分野】
本発明は、フイルム通路を開閉する蓋部材を備えた写真フイルムパトローネを装填するレンズ付きフイルムユニット及びその製造方法に関するものである。
【０００２】
【従来の技術】
撮影レンズやシャッタ機構等の簡単な撮影機構が組み込まれ、パトローネとこのパトローネから引き出した未露光の写真フイルムを内蔵させたレンズ付きフィルムユニット、例えば「写ルンですＳｕｐｅｒ８００」（商品名）等が本出願人より製造販売されている。このレンズ付きフィルムユニットは、気軽に購入して写真撮影が楽しめるように、前記各機構やユニット本体の各部を樹脂部品にして、その製造コストを安価にしている。また、このようなレンズ付きフイルムユニットに、プラスチック製のパトローネを使用した写真フイルムパトローネを装填したものが多数提案されている。
【０００３】
上記プラスチック製のパトローネには、フイルム送出口の遮光に従来のテレンプに代えて、フイルム送出口（通路）を開放する開き位置とフイルム送出口を遮断する閉じ位置との間で回動自在とされたプラスチック製の蓋部材が用いられているものがある。この蓋部材を閉じ位置にしておくことにより、フイルム送出口からパトローネ内部に外光が入射することを防ぎ、パトローネ内に収納した未使用あるいは未現像の写真フイルムが曝光されることを防止している。そして、このパトローネが装填されるレンズ付きフイルムユニットが多数提案されている。
【０００４】
【発明が解決しようとする課題】
ところで、上記のようなパトローネ及び写真フイルムをレンズ付きフイルムユニットに予め装填するようにした場合には、全ての撮影コマ撮影後に写真フイルムを全てパトローネ内に巻き込んでから、そのレンズ付きフイルムユニットを現像所やＤＰＥ等に持ち込んで現像を依頼し、そして現像所等では、この持ち込まれたレンズ付きフイルムユニットからパトローネを取り出した現像処理を行うが、パトローネの蓋部材を閉じ位置に回動させた状態にしてからパトローネをレンズ付きフイルムユニットから取り出さなければならない。これは、一般に現像所やＤＰＥ等では、レンズ付きフイルムユニットからのパトローネの取り出しは明るい場所で行われるのため、レンズ付きフイルムユニットの遮光されたユニット本体内でフイルム送出口を蓋部材で遮蔽した状態にしておかないと、パトローネを取り出した際に写真フイルムが外光で曝光されてしまうからである。
【０００５】
このために、例えば回動部材のキー軸を蓋部材の端部に形成されたキー穴に係合させておき、現像所の作業者がパトローネを取り出す前に、この回動部材を回動操作して蓋部材を閉じ位置に回動するようにしたレンズ付きフイルムユニット等が提案されている。しかしながら、このようなレンズ付きフイルムユニットでは、パトローネを取り出す時には、専用の治具を用いる必要があったり、パトローネの取り出しの他に蓋部材を回動するという作業が増えるため、大量にレンズ付きフイルムユニットの現像処理を行う現像所等での作業効率の低下を招くといった問題が考えられる。
【０００６】
また、このようにパトローネを取り出す前に、回動部材を回動操作するようにした場合に、現像所等では従来の１３５タイプの写真フイルムパトローネを用いたレンズ付きフイルムユニットも混在して処理しなければならないことを考慮すると、上述のような写真フイルムパトローネを用いたレンズ付きフイルムユニットに対しては、従来までのレンズ付きフイルムユニットからパトローネの取り出し行にはなかった新たな作業が加わることになり、作業者の作業忘れが懸念される。したがって、写真フイルムの曝光という致命的なミスを招く恐れがある。
【０００７】
一方、レンズ付きフイルムユニットの製造では、写真フイルムパトローネの装填と後カバーの組み付けのみを暗室内で行うようにして、できるだけ暗室内での作業を減らすようにしている。しかしながら、明室で回動部材を位置決めをして組み付けても、パトローネを装填する暗室までの搬送の間に振動や衝撃等で組み付け位置がずれてしまうことが少なくない。回動部材と蓋部材との係合は、キー軸とキー穴とによって行われるため、キーの向きが合致していないと両者は係合されない。そのため、暗室内で再び回動部材の位置決めを行わなければならず、組立て作業の効率という点からすると無駄が多いといえる。
【０００８】
また、レンズ付きフイルムユニットは、撮影レンズが組み付けられている前面側を上向きもしくは下向きにした状態で各構成部品が組み付けられるため、パトローネ収納室の上部に回動部材を設ける場合には、パトローネ収納室の上部に横方向から組み付けられることになる。そして、やはり搬送時の振動や衝撃等で回動部材が軸方向にずれたり、このずれが大きい場合には抜け落ちてしまうことも考えられる。そのため、回動部材が抜け落ちないように、何らかの保持機構を設けたり、暗室内で回動部材を組み付け直すための設備も必要となるなど、組立て設備の複雑化や設備費のコストアップ等の問題を原因となる。
【０００９】
本発明は、上記問題点に鑑みてなされたもので、簡単な機構でパトローネの蓋部材を閉じ位置に回動でき、しかも確実に写真フイルムの曝光を防止できるレンズ付きフイルムユニットを提供することを目的とする。また、蓋部材に係合される回動部材を簡単，低コストに位置決めして組み込むとともに、回動部品が抜け落ちることを防止したレンズ付きフイルムユニット及びその製造方法を提供することを別の目的とする。
【００１０】
【課題を解決するための手段】
上述のような事情から、フイルム送出口を開閉する蓋部材を用いたパトローネを装填するレンズ付きフイルムユニットにおいては、最終コマの撮影後からパトローネの取り出すまでの間に自動的にパトローネの蓋部材を回動させてフイルム送出口を閉じるようにするのがよい。このため蓋部材を開閉する回動部材を直接あるいは間接的に閉じ方向にバネ付勢しておくとともに、レンズ付きフイルムユニットの使用中にはバネ付勢に抗して回動部材の位置規制を行って蓋部材を開き位置に保持しておき、例えば、パトローネの取り出しのために必ず行われる準備操作に連動して回動部材の位置規制を解き、バネ付勢でこれを回動して蓋部材を自動的に閉じ位置に回動させて、フイルム通路を遮蔽してしまうのが有効な手段となる。
【００１２】
請求項１記載の発明では、パローネ収納室の外側に組み付けられた回動部材と付勢手段と係止部材とを備え、前記回転部材は、前記底蓋と反対側の前記蓋部材の上端部に係合されるとともに前記開き位置に対応する第１回転位置に組み付けられ、付勢手段の付勢力により前記第１回転位置から前記閉じ位置に対応する第２回転位置に回転し、前記係止部材は、前記付勢手段の付勢に抗し前記回動部材を第１回転位置に係止する係止位置に組み付けられ、前記底蓋の開放に連動して、前記回動部材の係止を外した係止解除位置に変位するようにしたものである。
【００１４】
請求項２記載の発明では、回動部材は、パトローネ収納室を形成する壁面の外部に組み付けられるとともに、このパトローネ収納室の内壁面に係合する係合爪を備えており、前記回動部材が前記壁面の外部から脱落しないようにしたものである。
【００１５】
請求項３記載の発明では、係止部材は、一端で回動部材を係止する係止位置とその係止を外す係止解除位置との間で、蓋部材の回動中心軸と平行にスライド移動可能な連結棒からなり、底蓋の開放に連動して前記連結棒をパトローネ収納室の底面方向にスライド移動させて、係止位置から係止解除位置に変位させることにより、前記回動部材を前記付勢手段の付勢力で回動させて前記蓋部材を閉じ位置に回動させるものである。
【００１６】
請求項４記載の発明では、底蓋は、パトローネ収納室の底面を塞ぐ位置と開放する位置との間で回動自在であるとともに、連結棒の他端と係合する係合部材を備え、この底蓋の開放に連動して前記連結棒が前記パトローネ収納室の底面方向に引かれることにより、前記連結棒が係止解除位置に変位するようにしたものである。
【００１７】
請求項５記載の発明では、連結棒は、一端が前記回動部材を係止する係止位置から不正規に移動しないようにするための組み付け位置保持手段を備えているものであり、請求項６記載の発明では、組み付け位置保持手段は、連結棒のスライド移動の方向と直交する方向に突出させて連結棒と一体に形成した凸部であり、前記連結棒の一端が係止位置にあるときに、前記凸部が前記連結棒をスライド自在に保持する前記パトローネ収納室の外部に設けられた係合爪の前記連結棒の一端側に当接することにより、前記連結棒の前記パトローネ収納室の底面方向へのスライド移動を規制して、係止位置から不正規に移動しないようにしたものである。
【００１８】
請求項７記載の発明では、凸部は、底蓋の開放に連動して連結棒がパトローネ収納室の底面方向に引かれた際には、係合爪を弾性変形させてパトローネ収納室の底面側への移動が可能な形状とされ、前記底蓋の開放に際して前記連結棒の底面方向へのスライド移動が許容されるようにしたものである。
【００１９】
請求項８記載の発明では、係止手段は、一端で前記回動部材を係止する係止位置とその係止を外す係止解除位置との間で、蓋部材の回動中心軸と平行にスライド移動可能な連結棒と、この連結棒を底蓋方向に付勢力を与える連結棒付勢手段とからなり、前記底蓋が閉じている時には、この底蓋で前記連結棒の他端を連結棒付勢手段の付勢に抗して押し上げて蓋部材を開き位置に留めるように前記連結棒の一端で前記回動部材を第１回転位置に係止し、前記底蓋が開放された時には、前記連結棒のパトローネ収納室の底面方向への移動が許容され、前記連結棒付勢手段の付勢力で前記連結棒が前記底面方向にスライド移動し、係止位置から係止解除位置に変位されることにより、前記回動部材を付勢手段の付勢力で第２回転位置に回動させて前記蓋部材を閉じ位置に回動させるものである。
【００２０】
請求項９記載の発明では、係止部材は、蓋部材の回動中心軸と直交する軸を中心に回動自在に設けられるとともに、一端が前記回動部材に係合し他端が前記底蓋に接触するようにしたレバーから構成されており、底蓋が閉じている時には、この底蓋で前記レバーの他端の移動が規制されることにより前記レバーの回動が阻止され、付勢手段の付勢に抗し、前記レバーの一端で前記蓋部材を開き位置に留めるように前記回動部材を第１回転位置に係止し、前記底蓋を開放した時には、この底蓋の開放にともなって前記レバーの回動が許容されて、前記付勢手段の付勢力で前記回動部材が前記レバーの一端を押圧して前記レバーを回動させながら第２回転位置に回動することにより、前記蓋部材が閉じ位置に回動されるものである。
【００２１】
請求項１０記載の発明では、係止部材は、蓋部材の回動中心軸と平行な軸を中心にして回動自在に設けられるとともに、径方向に突出するようにして一端に第１の突起が他端に第２の突起が形成された連結棒からなり、底蓋は、前記第２の突起に係合する係合片が設けられており、この底蓋が閉じている時には、前記係合片で第２の突起を係止して前記連結棒の回動を阻止し、付勢手段の付勢力に抗し、前記第１の突起で前記蓋部材を開き位置に留めるように回動部材を第１回転位置に係止し、前記底蓋が開放された時には、前記係合片と前記第２の突起との係止が外れることにより、前記連結棒の回動が許容されて、前記回動部材が前記付勢手段の付勢力で前記第１の突起を押圧して前記連結棒を回動させながら第２回転位置に回動することにより、前記蓋部材が閉じる位置に回動されるようにしたものである。
【００２２】
請求項１１記載の発明では、連結棒は、パトローネ収納室の外部に形成された弾性変形可能な係合爪に係合して保持されるようにしたものである。
【００２３】
請求項１２記載の発明では、パトローネを収納するパトローネ収納室の上面に回動自在に組み込まれ、下端部に前記蓋部材の一端を係合して蓋部材を開閉するキー軸が設けられた回動部材と、この回動部材を介して前記蓋部材が開き位置から閉じ位置に向かって回動するように付勢力を与えるバネ部材と、このバネ部材の付勢に抗し、蓋部材を開き位置に留めるように前記回動部材の位置規制を行う係止手段と、前記写真フイルムの最終コマへの撮影操作の終了後、パトローネ取り出しのためにパトローネ収納室の少なくとも一部が開放されるまでの間に前記係止手段による位置規制を解除して回動部材を前記バネ部材の付勢力で回動させ、光密状態に保たれたパトローネ収納室内で前記蓋部材を閉じ位置に回動させる係止解除手段とを備えたものである。
【００２４】
請求項１３記載の発明では、連結棒を前記回動部材を係止する位置に組み付けた後に、回動部材をパトローネ収納室に組み付けるとともに、付勢手段を組み付けて前記回動部材を蓋部材の閉じ位置方向に向けて付勢することにより、この回動部材を前記蓋部材の開き位置に対応する位置で前記連結棒に係止された状態にして後工程に搬送するようにしたものである。
【００２５】
【作用】
パトローネの取り出しのために必ず行われる準備動作、例えばパトローネ収納室の底蓋の開放に連動して、蓋部材を開き位置に留めるようにして回動部材を係止する位置から回動部材が蓋部材を閉じる位置への回動を許容するように、回動部材を係止している連結棒がスライド移動または回動し、あるいはレバーが回動する。これにより、付勢手段で付勢された回動部材が回動して蓋部材が閉じ位置に回動され、パトローネの内部が遮光される。この後に、パトローネがパトローネ収納室から取り出される。また、連結棒を組み付けてから、蓋部材を回動する回動部材を組み付けるとともに、これを付勢手段によって付勢し、連結棒に回転部材が係止されるようにしてから後工程に搬送することにより、回動部材の組み付け位置を後工程で調整する必要がなくなる。さらに、回動部材に設けた係合爪をパトローネ収納室の内面に係合させることにより、回動部材の搬送中の脱落を防止することが可能となる。
【００２６】
【発明の実施の形態】
本発明を実施したレンズ付きフイルムユニット及びこれに装填して用いられるフイルムパトローネの一部を図２に示す。なお、この図２では、説明の便宜上レンズ付きフイルムユニットを天地を逆にし、底面が上を向くようにして描いてある。このレンズ付きフイルムユニットでは、パトローネの取り出しのために確実に行われるパトローネ取り出し準備操作として、パトローネを取り出すための底蓋の開放操作を利用し、底蓋の開放に連動させてパトローネの蓋部材を閉じ位置に自動的に回動させるようにしたものである。
【００２７】
ユニット本体２は、周知のように樹脂成形された本体基部３と、その前面，背面に被せられる前カバー４，後カバー５とから構成されており、更に、本体基部３にはシャッタ羽根を含むシャッタ機構やフイルム巻き上げ機構等のほか、ストロボユニット等が組み込まれている。前カバー４は本体基部３に組み付けられたシャッタ機構等を覆い、また後カバー５は本体基部３の背面側を光密に覆う。
【００２８】
ユニット本体２には、装飾を兼ねた紙製の保護カバー６が被せられている。保護カバー６には図示しないミシン目が形成されており、撮影済みのパトローネ１１を取り出す際に、このミシン目に沿って保護カバー６が破られて底蓋７が露呈され、図示されるように底蓋７が開けられる。この底蓋７は、ユニット本体２に設けられたパトローネ収納室８の底面の開口を光密に塞ぐもので、ユニット本体２の後カバー５と一体に形成されている。底蓋７の周囲には、遮光壁７ａが突設されるとともに、パトローネ収納室８の外側で連結棒３５（図１参照）と爪係合する係合爪７ｂが一体に形成されている。なお、保護カバー６は、パトローネ１１の取り出し時に底蓋７を露呈させられるものならば、紙に限らずビニール製のシート等でもよい。
【００２９】
遮光壁７ａは、底蓋７が閉じている時には、パトローネ収納室８の外周に設けられた遮光用リブ９とともにパトローネ収納室８の底面周囲を光密に覆い、外光がパトローネ収納室８の底面側から入り込まないようにする。また、遮光壁７ａは、後述するようにして底蓋７が僅かに開いてパトローネ１１の蓋部材１４（図１参照）が閉じ位置に回動するまで、外光がパトローネ収納室８の底面側から入り込まないように、その高さが調節されている。なお、底蓋７には、これでパトローネ収納室８の底面を閉じた状態で係止するための係止爪が形成されているが、図面の煩雑化をさける意味で図示を省略している。
【００３０】
図１及び図３に示すように、フイルムパトローネ１０は、パトローネ１１と、その中に回動自在に収納され写真フイルム１２が巻きつけられたスプール１３と、パトローネ１１内を遮光する蓋部材１４とを主要部品として構成されており、この他に蓋部材１４のロック装置，収納した写真フイルム１２の使用状態の表示装置，バーコード板１５等を備えている。パトローネ１１は、樹脂の成形品からなる上ケース１１ａ，下ケース１１ｂが嵌合されて形成されている。このフイルムパトローネ１０は、スプール１３に写真フイルム１２の後端が係止されており、このスプール１３を写真フイルム１２の送り出し方向に回動することにより、スプール１３に巻きつけられた写真フイルム１２の先端がパトローネ１１のフイルム通路１６からパトローネ１１の外部に向けて送り出されるように構成されている。
【００３１】
蓋部材１４は、各ケース１１ａ，１１ｂの合わせ目に形成されたフイルム通路１６内に回動自在に組み込まれており、その両端には蓋部材１４をパトローネ１１の外部から回動させるために、断面Ｃ字形状のキー穴１８が形成されている。このキー穴１８はパトローネ１１の上面１７ａと下面１７ｂに形成された軸孔１１ｃから外部にそれぞれ露呈されている。このキー穴１８にキー軸を嵌め込んで回動することにより、蓋部材１４は、図３に示すようにフイルム通路１６を開放した開き位置と、図４に示すようにフイルム通路１６を光密に遮蔽した閉じ位置との間で回動する。
【００３２】
図１に示すように、バーコード板１５は写真フイルム１２のフイルム感度，撮影可能枚数，フイルム種類等を表すバーコードが円盤に記されたものであり、上面１７ａの窓１９からバーコードが現れるようになっている。表示装置は、未使用，撮影済み，撮影途中，現像済み等の収納した写真フイルム１２の使用状態を各表示窓２０（図２参照）で表示する。
【００３３】
図５に示すように、蓋部材１４のロック装置は、蓋部材１４が閉じ位置に回動されときに、蓋部材１４の上面１７ａ側に露呈したキー穴１８の係合切欠き１８ａに入り込んで、蓋部材１４を閉じ位置に保持するロック爪２１からなる。このロック爪２１により、外力が作用して蓋部材１４が閉じ位置から開き位置へ回動することを防止している。なお、パトローネ１１を現像処理機等に装填して、蓋部材１４を開き位置に回動させる際には、キー穴１８に挿入される現像処理機等のキー軸がロック爪２１を外側に向けて弾性変形させて係合切欠き１８ａから押し出すため、蓋部材１４のロックが解除される。
【００３４】
図１に示すように、パトローネ収納室８の上面８ａには、スプール１３を回動するための巻上げノブ２４と、蓋部材１４を回動するための回動部材３０とが組み付けられる。また、上面８ａには、逆Ｌ字形状の逆止爪２５が一体に形成されている。巻上げノブ２４の外周には、回動操作する際の滑り止めとなる歯列２４ａが形成されている。この歯列２４ａには、逆止爪２５が弾性的に係合し、巻上げノブ２４がフイルム巻き上げ方向（矢印Ａ方向）とは逆方向に回動されるのを阻止している。また、逆止爪２５は、巻上げノブ２４が位置決めして上面８ａに組み付けられたときに、その組付け位置を保持する働きを有している。
【００３５】
巻上げノブ２４の下面には、スプール１３のキー穴１３ａに係合して回動力を伝達するキー軸２４ｂが形成されている。このキー軸２４ｂの外周には、巻上げノブ２４が上面８ａから抜け落ちるのを防止するために、係合爪２４ｃが形成されており、パトローネ収納室８の上面内壁に係合される。また、キー軸２４ｂには、係合爪２４ｃを巻き上げノブ２４の中心軸に向けて弾性変形させながら、上面８ａに形成された巻上げノブ２４用の組付け穴２６に押し込んで組み付けることができるように切欠２４ｄが形成されている。
【００３６】
蓋部材１４を回動する機構として、パトローネ収納室８には回動部材３０の他に、ねじりバネ３４，回動部材３０の回動を係止する連結棒３５が組み付けられている。回動部材３０は、外周面の一部が径方向に突出するように形成され、連結棒３５と当接するレバー部３１と、回動部材３０の下面に一体に形成されたキー軸３２とからなる。回動部材３０は、回動部材３０用の組み付け穴３３にキー軸３２を挿入して回動自在に組み付けられる。キー軸３２は、蓋部材１４のキー穴１８の係合切欠き１８ａと係合するように凸部３２ａが形成されるとともに、回動部材３０が上面８ａから抜け落ちるのを防止するために、弾性変形可能な係合爪３２ｂが形成されており、図６に示すように、係合爪３２ｂはパトローネ収納室８の上面８ａの内壁に係合する。
【００３７】
図１に示すように、回動部材３０の上面には、キー軸３２と同軸にしたピン３０ａと、キー軸３２から偏心した係合ピン３０ｂとが突出して形成されている。このピン３０ａは、ねじりバネ３４のコイル部３４ａに挿入されるとともに、詳細は後述するが逆止爪２５の弾性変形を制限するための機能を有している。ねじりバネ３４は、一端３４ｂが上面８ａに突設されたピン８ｂに掛けられ、他端３４ｃが回動部材３０の係合ピン３０ｂに掛けられて、図中で矢印Ｂ方向に回動部材３０を付勢する。
【００３８】
連結棒３５は、２個の凸部３５ｂ，３５ｃと、下側の一端に底蓋７の係合爪７ｂと爪係合する係合爪３５ａとが形成されている。パトローネ収納室８のパトローネ１１のフイルム通路１６を収納している部分の外壁の前面には、２対の係合爪３６ａ，３６ｂが形成されている。連結棒３５は、その上端部３５ｄを上面８ａに突出するとともに、２個の凸部３５ｂ，３５ｃが係合爪３６ａと係合爪３６ｂとの間に位置するようにして、これらの係合爪３６ａ，３６ｂに圧入され、係合爪３６ａ，３６ｂによって長手方向にスライド自在に保持されている。
【００３９】
図７に示すように、上面８ａに突出した上端部３５ｄは、ねじりバネ３４で矢印Ｂ方向に付勢された回動部材３０のレバー部３１を係止して、回動部材３０が矢印Ｂ方向に回動するのを阻止している。これにより、回動部材３０は、適当な角度位置にして組み付ければ、位置決めを行わなくとも所定の角度位置で上面８ａに組み付けられることになる。また、回動部材３０を組み付けた後には、後工程への搬送中の振動等で回動部材３０が所定の角度位置からずれることがない。
【００４０】
連結棒３５の係合爪３５ａは、底蓋７を閉じることにより、その係合爪７ｂと爪係合する。２個の凸部３５ｂ，３５ｃのうち上端側の凸部３５ｂは、上面８ａ側の係合爪３６ａに下方から当接して、連結棒３５の上方向へのスライド移動を規制し、係合爪３５ａと係合爪７ｂとの係合が確実に行われようにしている。また、底蓋７が閉じられた状態では、連結棒３５の下端部が底蓋７と接触して下方（矢印Ｃ方向）への連結棒３５のスライド移動が規制され、上端部３５ｄが上面８ａよりも上方に突出した状態が保持される。
【００４１】
凸部３５ｃは、連結棒３５が下方にスライド移動して上端部３５ａによるレバー部３１の係止が解除された時、すなわち蓋部材１４が閉じ位置に回動された時に、係合爪３６ｂと当接する位置に設けられている。これにより、底蓋７を開放したときに連結棒３５が抜け落ちないようにしている。
【００４２】
レバー部３１が連結棒３５の上端部３５ｄに係止されている時には、キー軸３２は、蓋部材１４が開き位置に回動した状態のパトローネ１１をパトローネ収納室８に収納する際に、その凸部３２ａがキー穴１８の係合切り欠き１８に係合できる角度位置に位置決めされている。これにより、図８に示すように、蓋部材１４を開き位置にしたパトローネ１１をパトローネ収納室８に装填する時に、回動部材３０の角度位置を調節することなく、キー軸３２をパトローネ１１の上面１７ａ側に露呈されたキー穴１８へ挿入することができ、またパトローネ１１の装填後には、蓋部材１４が開き位置に保持される。
【００４３】
ユニット本体２からパトローネ１１を取り出す際には、底蓋７をドライバー等の工具によって回動操作して開放する。この時には、図９に示すように、係合爪７ｂが係合爪３５ａを介して連結棒３５を矢印Ｃ方向にスライド移動させるため、上端部３５ｄとレバー部３１との係止が外れ、回動部材３０の矢印Ｂ方向への回動が許容される。これにより、ねじりバネ３４の付勢で回動部材３０が矢印Ｂ方向に回動され、図１０に示すように、蓋部材１４は瞬時に閉じ位置まで回動される。
【００４４】
なお、図１１（ａ）及び図１１（ｂ）に示すように、底蓋７の遮光壁７ａの高さＬ１は、上面８ａから上方に突出した連結棒３５の上端部３５ｄの突出長Ｌ２よりも十分に長くされているので、蓋部材１４が閉じ位置に回動する瞬間でもパトローネ収納室８の内部の遮光が維持されるようになっている。
【００４５】
図９に示すように、連結棒３５の矢印Ｃ方向へのスライド移動は、蓋部材１４が閉じ位置に回動された後に、凸部３５ｃと係合爪３６ｂとが当接して規制されるので、さらに底蓋７に力を加えることで係合爪７ｂと係合爪３５ａとの係合が解除されて、もしくは係合爪７ｂが底蓋７より分離され、あるいは凸部３５ｃが係合爪３６ｂを折り曲げて連結棒３５が引き抜かれることで底蓋７が完全に開かれる。これにより、パトローネ収納室８の底面からパトローネ１１を取り出すことができる。この取り出しにおいては、蓋部材１４が閉じ位置に回動されることにより、蓋部材１４がロック装置にロックされるので、蓋部材１４が確実に閉じた状態でパトローネ収納室８からパトローネ１１を取り出すことができる。
【００４６】
このように、パトローネ１１の蓋部材１４は、上面１７ａ側のキー穴１８に係合した回動部材３０を介してねじりバネ３４の付勢力で回動操作される。なお、上面１７ａ側から回動操作するのは、下面１７ｂ側のキー穴１８で蓋部材１４を回動操作するようにすると、蓋部材１４の捩じれによって、上面１７ａ側のキー穴１８が所定の角度で回動しない場合があるからである。そして、この場合には、ロック爪２１がキー穴１８の係合切り欠き１８ａに入り込まないため、蓋部材１４の回動がロックされないといった問題が発生するからである。
【００４７】
なお、このようにして、底蓋７を開放する際に、連結棒３５を引き抜いて係合爪３６ｂを破損させたり、底蓋７の係合爪７ｂを破損させたりするようにしておけば、撮影済のフイルムパトローネ１０をレンズ付きフイルムユニットから取り出した後に、新たなフイルムパトローネ１０を不正規に装填して再使用することができないので、不正規な再使用を防止することができる。
【００４８】
図１２は、シャッタ機構，フイルム巻き上げ機構，ファインダ４１等が組み付けられた露光ユニット４０、及び巻上げノブ２４，回動部材３０等を組み付けた本体基部３を背面側から示すものである。露光ユニット４０の上部には、ファインダ４１と、写真フイルム１２の巻上げに連動して回動する１歯ギア４２ａを備えたカム軸４２と，軸４３に軸着されて１歯ギア４２ａと噛合し、写真フイルム１２が１コマ分巻上げられる毎に１目盛り分回動する撮影枚数表示板４４等が組み付けられている。前述したように、逆止爪２５は、巻上げノブ２４の歯列２４ａに押し付けられ弾性的係合している。そして、回動部材３０のピン３０ａは、逆止爪２５に近接した位置で本体基部３の前面側に配されている。
【００４９】
逆止爪２５は、巻上げノブ２４がフイルム巻上げ方向（矢印Ａ方向）とは逆方向に回動操作された時に、その回動を長手方向の剛性で阻止するようにしているが、この時きに逆止爪２５は、巻上げノブ２４からの力で矢印Ｄ方向に僅かに弾性変形する。この弾性変形の量が多くなると、巻上げノブ２４からの力が逆止爪２５の長手方向にほとんど作用しなくなり、逆止爪２５の矢印Ｄ方向への弾性変形が容易になって、巻上げノブ２４がフイルム巻上げ方向とは逆方向に回動できるようになってしまう。
【００５０】
このため、従来のレンズ付きフイルムユニットでは、逆止爪２５の矢印Ｄ方向への弾性変形を規制するための規制ピンが上面８ａに設けられていたが、この従来の規制ピンの位置には回動部材３０が組み付けられるので、上面８ａに規制ピンを設けることができない。そこで、本実施形態のレンズ付きフイルムユニットでは、回動部材３０のピン３０ａを規制ピンとして用いて、巻上げノブ２４がフイルム巻上げ方向とは逆方向に回動操作されて逆止爪２５が矢印Ｄ方向へ弾性変形した時には、ピン３０ａに逆止爪２５が当接して、その弾性変形が制限され、確実に巻上げノブ２４のフイルム巻上げ方向とは逆方向の回動が阻止されるようになっている。
【００５１】
露光ユニット４０の上部には保持板４５が装着されている。この保持板４５は、カム軸４２と軸４３とが挿入される孔４５ａ，４５ｂが形成されている。これにより各軸４２，４３の偏心を防止して、撮影枚数表示板４４と１歯ギア４２ａとの噛合を確実なものにしている。また、保持板４５の上面で撮影枚数表示板４４の上方に配される位置には、レンズ４５ｃが形成されている。このレンズ４５ｃは、ユニット本体２の上面の表示窓（図示省略）に対向するようになっており、ユニット本体２の外部から撮影枚数表示板４４を拡大して観察するとがことができるようになっている。なお、符号４６ａ，４６ｂは、保持板４５を露光ユニット４０に取り付けるための係合爪である。
【００５２】
また、ピン３０ａに対峙する保持板４５の位置には、ピン３０ａが挿入される孔４５ｄが形成されており、これにピン３０ａの上端部が挿入される。この孔４５ｄでピン３０の上端部が保持されるため、逆止爪２５から矢印Ｄ方向に大きな力が作用したとしても、ピン３０ａが根元から折れることはない。
【００５３】
なお、ピン３０ａは、逆止爪２５から矢印Ｄ方向の力のみが作用するから、孔４５ｄの代わりに、図１３に示すように、保持板４５の背面方向に開口を持つＵ字状の切り欠き４５ｅとしてもよい。さらに、図１４に示すように、保持板４５の下面から下方に延びた規制ピン４５ｆで逆止爪２５の矢印Ｄ方向の弾性変形を規制するようにしてもよい。このようにした場合には、規制ピン４５ｆを回動部材３０の位置と関係なく設けることができ、より効果的な位置で逆止爪２５の弾性変形を制限することができる。
【００５４】
次に上記実施例の作用について説明する。ユニット本体２の組み立ては、後カバー５の装着とフイルムパトローネ１０の装填以外は明室内にて行われる。本体基部３は、前面側を上向きもしくは下向きにした状態で搬送され、この間に連結棒３５，回動部材３０，巻上げノブ２４，露光ユニット４０ほかストロボユニット等が組み付けられる。
【００５５】
まず、パトローネ収納室８の前面に連結棒３５が組み付けられる。連結棒３５は、係合爪３６ａ，３６ｂに連結棒３５を押し込むだけで、パトローネ収納室８に組み付けることができるので、簡単な動作で組み付けを行うことができる。この時に、２個の凸部３５ｂ，３５ｃが係合爪３６ａ，３６ｂの間に位置するようにされるとともに、上端部３５ｄが上面８ａよりも突出するようにして組み付けられる。連結棒３５が組み付けられた本体基部３は、回動部材３０の組み付け工程に搬送される。なお、本体基部３をパレットに乗せ、連結棒３５を保持器具等で押さえながら搬送し、連結棒３５の組み付け位置がずれないようにするのがよい。
【００５６】
回動部材３０の組み付け工程では、逆止爪２５を背面方向に弾性変形させながら、パトローネ収納室８の上面８ａに形成された組付け穴３３に回動部材３０のキー軸３２を強く押し込む。キー軸３２の係合爪３２ｂは、弾性変形するので容易に挿入することができる。これにより、図６に示すように、キー軸３２の係合爪３２ｂがパトローネ収納室８の上面８ａの内壁に係合するので、後工程への搬送中に衝撃や振動等が与えられても回動部材３０がパトローネ収納室８の上面８ａから脱落することがない。
【００５７】
次に回動部材３０を適当な角度位置に保持した状態で、ねじりバネ３４のコイル部３４ａをピン３０ａに挿入し、一端３４ｂを上面８ａのピン８ｂに、他端３４ｃを回動部材３０の係合ピン３０ｂにそれぞれ掛ける。回動部材３０は、このねじりバネ３４の付勢力で矢印Ｂ方向に回動し、連結棒３５の上端部３５ｄに当接して、その回動が係止される。もちろん、この状態でねじりバネ３４は、充分に蓄勢された状態にあり、回転部材３０を矢印Ｂ方向に付勢している。これにより、キー軸３２は、蓋部材１４が開き位置にある時のキー穴１８の角度位置に対応した所定の角度位置に位置決めされることになる。なお、回動部材３０にねじりバネ３４を組み付けてから、この回動部材３０をパトローネ収納室８に組み付けてもよい。
【００５８】
ねじりバネ３４の組み付け後、巻上げノブ２４を所定の角度に位置決めしてキー軸２４ｂを組付け穴２６に押し込む。この場合には、キー軸２４ｂの係合爪２４ｃが切欠２４ｄで変形するので、容易にキー軸２４ｂを挿入することができる。また、キー軸２４ｂの係合爪２４ｃがパトローネ収納室８の上面８ａ内壁に係合するので、多少の衝撃や振動等が与えられても、巻上げノブ２４がその取り付け位置から抜け落ちることはない。さらに、巻上げノブ２４の外周の歯列２４ａに逆止爪２５が弾性的に係合されるので、多少の衝撃や振動が与えられても巻上げノブ２４は回動することはなく、組み付け時の角度位置を保持することができる。
【００５９】
巻上げノブの組み付け後、ファインダ４１、カム軸４２，撮影枚数表示板４４等が組み付けられた露光ユニット４０が本体基部３の前面より組み付けられる。そして、孔４５ａ，４５ｂ，４５ｄでカム軸４２，軸４３，ピン３０ａが保持されるようにして、保持板４５が露光ユニット４０の上部に組み付けられる。次にストロボユニットを組み付けてから、本体基部３の下方にストロボ用の乾電池が装填され、これらを覆うように本体基部３の前面側に前カバー４が組み付けられる。なお、乾電池の装填は写真フイルムパトローネ１０の装填後に行ってもよい。
【００６０】
前カバー４が組み付けられた後に、本体基部３は暗室内の写真フイルムパトローネ１０の装填工程へ搬送される。この装填工程では、スプール１３のキー穴１３ａが角度位置を位置決めされるとともに、蓋部材１４を開き位置にセットした状態のパトローネ１１が底面からパトローネ収納室８に装填される。
【００６１】
巻上げノブ２４は、逆止爪２５によって搬送中に回動することがないから、キー軸２４ｂは所定の角度位置に保持されている。また、回動部材３０は、この装填工程までの搬送中に衝撃や振動等が与えられて、所定の角度位置から矢印Ｂ方向と逆方向に回動したとしても、ねじりバネ３４の付勢で矢印Ｂ方向に回動し、連結棒３５で係止される所定の角度位置に復帰する。さらに、回動部材３０は、連結棒３５の上端部３５に係止されているから、所定の角度位置から矢印Ｂ方向に回動することがない。
【００６２】
したがって、巻上げノブ２４，回動部材３０の角度位置を調節することなく、巻上げノブ２４のキー軸２４ｂとスプール１３のキー穴１３ａ、及び回動部材３０のキー軸３２と蓋部材１４のキー穴１８とを容易に係合させて、パトローネ１１をパトローネ収納室８に装填することができる。
【００６３】
この後に、パトローネ１１から引き出されてロール状にされた写真フイルム１２を本体基部３のフイルム収納室（図示せず）に収納し、本体基部３の背面側に後カバー５を組み付け、ヒンジ部５ａ（図２参照）を中心に底蓋７を折り曲げてパトローネ収納室８の底面を閉じる。底蓋７を閉じることにより、連結棒３５の係合爪３５ａと底蓋７の係合爪７ｂとが係合する。この時に、連結棒３５は、凸部３５ｂが係合爪３６ａと当接して上方（図７中の矢印Ｃ方向と逆方向）へのスライド移動が規制されるので、係合爪３５ａと係合爪７ｂとが確実に係合される。
【００６４】
また、底蓋７が完全に閉じられると、連結棒３５の下端と底蓋７とが接触した状態になり、連結棒３５の下方へのスライド移動が規制される。これにより、連結棒３５の上端部３５ｄが上面８ａよりも突出した状態が維持され、蓋部材１４を開き位置にセットした状態で回動部材３０の係止が保持される。このようにして、底蓋７が閉じられて、本体基部３内は遮光され、ユニット本体２が完成する。このユニット本体２を明室に搬送して各種機能検査を経た後で保護カバー６を装着することによりレンズ付きフイルムユニットが完成する。
【００６５】
レンズ付きフイルムユニットは、ユーザーの手に渡り収納された写真フイルム１２に撮影が行われる。撮影終了毎に、巻上げノブ２４がフイルム巻き上げ方向（矢印Ａ方向）に回動され、撮影済の写真フイルム１２の部分がパトローネ１１内に巻き上げられる。この時に、撮影者が誤ってフイルム巻き上げ方向とは逆方向に巻上げノブ２４を回動しても、その回動力が歯列２４ａに係合した逆止爪２５の長手方向に作用して、巻上げノブ２４の矢印Ａ方向とは逆方向の回動が阻止される。また、この時に、逆止爪２５が矢印Ｄ方向に弾性変形すると、回動部材３０のピン３０ａに当接して、その弾性変形が制限されるから、逆止爪２５が大きく弾性変形して、巻上げノブ２４が逆方向へ回動されることはない。そして、ピン３０ａは、保持板４５の孔４５ｄでその上端部が支持されているから、大きな力が作用しても破損することがない。
【００６６】
写真フイルム１２の全ての撮影コマの撮影終了後、パトローネ１１を取り出すための準備操作として、まず巻上げノブ２４が矢印Ａ方向に連続的に回動され、写真フイルム１２の先端までがパトローネ１１内に収納される。この後に、レンズ付きフイルムユニットが現像取扱店等に渡され同時プリントが依頼される。なお、この巻き上げ操作は、通常ユーザが行うが現像所で行ってもよく、また現像所で安全のためにユーザの操作有無にかかわらず、巻き上げ操作を行って完全に写真フイルム１２がパトローネ１１内に収納されていることを確認するのがよい。現像所では、回収したレンズ付きフイルムユニットの底蓋７を開放し、撮影済の写真フィルム１２を収納したパトローネ１１を取り出す作業を行う。底蓋７の開放作業では、保護カバー６の底蓋７の部分が破かれ、ドライバー等の工具によってヒンジ部５ａを軸にして底蓋７を開放する。
【００６７】
この開放作業で底蓋７を僅かに開くと、係合爪７ｂ，係合爪３５ａを介して連結棒３５が下方（矢印Ｃ方向）にスライド移動される。連結棒３５が下方にスライド移動すると、図９に示すように、上端部３５ｄによる回動部材３０のレバー部３１の係止が外れる。そして、ねじりバネ３４の付勢によって回動部材３０が矢印Ｂ方向に回動する。これにより、回動部材３０のキー軸３２が矢印Ｂ方向に回動し、キー軸３２に係合したキー穴１８を介して蓋部材１４が閉じ位置に向けて回動され、図１０に示すように、蓋部材１４は瞬時に閉じ位置まで回動する。蓋部材１４が閉じ位置に回動した時点では、底蓋７の遮光壁７ａによってパトローネ収納室８の内部は遮光された状態が維持されるため、この開放作業中に写真フイルム１２は曝光されない。
【００６８】
レバー部３１と上端部３５ｄの係止が外れて、蓋部材１４が閉じ位置に回動された後に、凸部３５ｃが係合爪３６ｂに当接する。これにより、底蓋７の開放操作に抵抗が生じる。そして、さらに底蓋７に力を加えると、係合爪７ｂが折れ、もしくは係合爪３５ａと係合爪７ｂとの係合が外れ、あるいは係合爪３６ｂが折れて連結棒３５が引き抜かれることにより、底蓋７が完全に開放され、パトローネ収納室８の底面が露呈される。そして、このパトローネ収納室８の底面からパトローネ１１がパトローネ収納室８から取り出される。この時に蓋部材１４はロック爪２１にロックされているため、この取り出し時に衝撃や振動等が与えられても、再び開き位置方向に回動するとはない。したがって、蓋部材１４を閉じた状態で収納された写真フイルム１２を曝光させることなく、パトローネ収納室８から撮影済の写真フイルム１２を収納したパトローネ１１を取り出すことができる。
【００６９】
図１５に示す例は、連結棒の形状と本体基部との形状で、レンズ付きフイルムユニットの組立て時の搬送中に、振動等で連結棒の組み付け位置が不正規に移動しないようにしたものである。なお、以下に説明する以外の構成等については、上記実施形態と同じであり、上記実施形態と同じものには同符号を付して説明する。連結棒５０は、上記実施形態と同様にして、係合爪３６ａ，３６ｂに係合されてスライド自在に保持され、その下端部に形成された係合爪５０ａが底蓋７の係合爪７ｃと係合される。そして、底蓋７が開放された時に、下方（矢印Ｃ方向）にスライド移動される。
【００７０】
連結棒５０は、この上端部５０ｂを上面８ａよりも上方に突出させ、蓋部材１４の開き位置に対応した角度位置で回動部材３０のレバー部３１を係止する位置に組み付けられる。連結棒５０には、本体基部３に組み付けた後の後工程への搬送中に、この連結棒５０が不正規に移動しないようにするために組み付け位置を保持するための、凸部５０ｃ，５０ｄが形成されいる。組み付けた状態で、係合爪３６ｂの下側に接する連結棒５０の部分には、連結棒５０のスライド方向と直交する方向に突出するようにして、係合爪３６ｂが連結棒５０を保持する幅よりも広い凸部５０ｃが形成されている。この凸部５０ｃにより、係合爪７ｃと係合爪５０ａとを係合させる際に、連結棒５０の上方へのスライド移動を規制するとともに、連結棒５０を組み付けた後に、後工程への搬送中の振動等で連結棒５０の組み付け位置が上方へ移動しないようにしている。
【００７１】
さらに、連結棒５０は、係合爪３６ｂの上面に接する部分からは、連結棒５０のスライド方向と直交する方向に突出するように上端部５０ｂ側に向かって徐々に幅が広くなる凸部５０ｄが形成されている。この凸部５０ｄは、底蓋７を開放する際に連結棒５０が下方に強く引かれた場合には、その形状で係合爪３６ｂを幅方向に弾性変形させるため、連結棒５０の下方へのスライド移動を許容するが、後工程への搬送中の振動等では、その幅方向に広がった形状から下方に向かってスライド移動しないようになっている。また、搬送中の振動等で、連結棒５０が下方に移動したとしても、係合爪３６ｂの弾性力が凸部５０ｄを介して、連結棒５０を上方にスライドさせる力として作用するため、連結棒５０は安定せず、再び所定の組み付け位置に復帰するようになっている。
【００７２】
このようにして、連結棒５０の凸部５０ｃ，５０ｄとが本体基部３の係合爪３６ｂとで、搬送中の振動等で連結棒５０が不正規に下方または上方にスライド移動することを防止し、組み付け位置のズレないようにしている。なお、この例では、凸部５０ｄの上端側を徐々に幅が狭くなるようにすることによって、連結棒５０が回動部材３０の係止を外す位置まで移動した後に、小さいな力で滑らかに連結棒５０のスライド移動及び底蓋７の開放が行うことができるようにされている。
【００７３】
この連結棒５０によれば、連結棒５０を組み付けた本体基部３を搬送する際に、連結棒５０を保持器具等で押さえ付けたりしなくとも、搬送中の振動等で連結棒５０の組み付け位置がずれることがない。特に、連結棒５０が下方（パトローネ収納室８の底面方向）に移動してしまうと、回転部材３０との係止が外れてしまいパトローネ１１の装填に不都合が生じるが、凸部５０を設けることによりこのような不都合を確実に防止することができる。また、上記実施形態と同様に組み付けを簡単に行うことができる。そして、連結棒５０を上記のような形状とすることにより、本体基部３側にズレ防止のための部材を設けなくても、連結棒５０と係合爪３６ｂとの間で、連結棒５０の組み付け位置のズレを防止することができる。
【００７４】
パトローネ１１を取り出す際には、上記実施例と同様にして、底蓋７を開放操作する。これにより、係合爪７ｃが係合爪５０ａを介して連結棒５０を矢印Ｃ方向にスライド移動させる。このときに、凸部５０ｄは、その形状から係合爪３６ｂを幅方向に弾性変形させながら、係合爪３６ａの上側から下側に移動し、連結棒５０の下方へのスライド移動が許容される。連結棒５０がスライド移動すると、上端部５０ｂによるレバー部３１の係止が外れ、回動部材３０がねじりバネ３４の付勢で矢印Ｂ方向に回動し、蓋部材１４が開き位置から閉じ位置に回動される。この後に、底蓋７が完全に開放されて、パトローネ１１がパトローネ収納室８から取り出される。
【００７５】
なお、凸部５０ｄの代わりに、スライド方向と直交する方向に突出さた半球状の突起を連結棒５０の例えば両側面に設けて、連結棒５０が振動等により上方へスライド移動すること防止するとともに、底蓋７の開放操作による下方へのスライド移動を許容するようにしてもよい。あるいは、連結棒５０がその上端部５０ｂでレバー部３１を係止する位置にあるときに、連結棒５０のパトローネ収納室８の壁面側の面に、スライド方向と直交する方向に突出さた半球状の突起を形成し、この突起をパトローネ収納室８の壁面に形成した凹部に入り込ませてクリック結合するようにしてもよい。このように、連結棒の一部をそのスライド方向と直交する方向に突出さるた凸部を設けることにより、容易に連結棒の組み付け位置を保持することできる。
【００７６】
次に、底蓋の開放操作に連動して、連結棒をバネの付勢でスライド移動させる例について説明する。なお、以下に説明する以外の構成等については、最初の実施形態と同じであり、同じ構成部材には、同符号を付して説明する。
【００７７】
図１６に示すように、連結棒６０は、断面円形の棒状になっており、その一部が径を大きくした円柱部６０ａになっている。この連結棒６０には、コイルバネ６１が上端部６０ｂ側から挿入されて円柱部６０ａよりも上端側に配されている。円柱部６０ａの径は、コイルバネ６１の径よりも大きくされている。パトローネ収納室８の前面外側には、カギ穴状の切欠きで連結棒６０を係合してスライド自在に保持する支持部（係合爪）６２〜６４が設けられている。連結棒６０は、上面８ａ側の支持部６２と中央の支持部６３との間にコイルバネ６１が配されるように、連結棒６０の軸方向にコイルバネ６１を圧縮しながら、支持部６２〜６４に圧入され、軸方向にスライド自在に組み付けられている。
【００７８】
連結棒６０を組み付けた状態では、コイルバネ６１は、一端が支持部６２の下面に当接し、他端が円柱部６０ａの上面に当接して、円柱部６０ａを介して連結棒６０を矢印Ｃ方向に付勢している。なお、連結棒６０は、スペーサ６５を円柱部６０ａと中央部の支持部６３との間に挿入して、連結棒６０の上端部６０ｂを上面８ａよりも突出させた状態にして組み付けられる。これにより、底蓋６６（図１７参照）を閉じるまでの組立て工程中に、上端部６０ｂで回動部材３０のレバー部３１を係止するようにしている。スペーサ６５は、底蓋６６が閉じられた後に抜き取られる。
【００７９】
図１７は、レンズ付きフイルムユニットの底部を示すものである。底蓋６６は、後カバー６７と一体に形成されており、側面側のヒンジ部６７ａを中心にして、図中矢印Ｅ方向に開放されるようになっている。この底蓋６６は、上記各実施形態と同様に、遮光壁６６ａが設けられ、蓋部材１４が閉じ位置に回動されるまで、パトローネ収納室８の内部を遮光するようになっている。
【００８０】
図１８に示すように、底蓋６６が閉じた状態では、連結棒６０は、その下端面６０ｃが底蓋６６の内面と接触し、コイルバネ６１による付勢に抗して、上端部６０ｂを上面８ａから長さＬ３だけ突出させた状態が維持される。円柱部６０ａの下端面は、連結棒６０の下端面６０ｃから長さＬ４の位置に配されている。また、支持部６３は、その上面が底蓋６６の内面から長さＬ５の位置に設けられており、底蓋６６が閉じた状態では、支持部６３と円柱部６０ａとの間には、長さＬ６（＝Ｌ４−Ｌ５）の間隔が空くようになっている。そして、この長さＬ６を長さＬ３よりも長くすることにより、底蓋６６が開かれて連結棒６０がコイルバネ６１の付勢で下方にスライド移動した際には、上面８ａから上端部６０ｂが引っ込むようになっている。これにより、底蓋６６の開放に連動して、レバー部３１の係止が外れ、回動部材３０が回動し、蓋部材１４が閉じ位置に回動される。
【００８１】
以上のように構成されたレンズ付きフイルムユニットの作用について簡単に説明する。このレンズ付きフイルムユニットの組立では、図１９に示すように、スペーサ６５を円柱部６０ａと支持部６３との間に挟み込むようにするとともに、コイルバネ６１を圧縮しながら、連結棒６０を支持部６２〜６４に圧入する。これにより、連結棒６０の上端部６０ｂが上面８ａから突出した状態にして組み付けられる。
【００８２】
次に、回動部材３０と、ねじりバネ３４がそれぞれ組み付けられる。連結棒６０の上端部６０ｂが上面８ａより突出しているから、上記各実施形態と同様に、回動部材３０が所定の角度位置に組み付けられる。この後に、巻上げノブ２４，露光ユニット４０等が組み付けられてから、本体基部３が暗室に搬送されて、フイルムパトローネ１０が装填される。上記各実施形態と同様にして、巻上げノブ２４，回動部材３０は、それぞれ所定の角度位置が保持されるから、これらの角度位置を調整することなく、パトローネ１１のキー穴１３ａとキー軸２４ｂ、キー穴１８とキー軸３２とをそれぞれ容易に係合させて、パトローネ１１をパトローネ収納室８に装填することができる。
【００８３】
フイルムパトローネ１０を本体基部３に装填した後、後カバー６７が本体基部３の背面に組み付けられ、底蓋６６が閉じられて本体基部３内は遮光される。この後に、本体基部３は、再び明室に搬送され、スペーサ６５が抜き取られる。図２０に示すように、底蓋６６の内面と連結棒６０の下端面６０ｃとが接触しているため、スペーサ６５を抜き取っても、コイルバネ６１の付勢で連結棒６０が下方（矢印Ｃ方向）にスライド移動することはなく、上端部６０ｂが回動部材３０を係止し、蓋部材１４が開き位置の状態に保持される。この後に、前カバー４が前面に組み付けられ、ユニット本体２が完成する。
【００８４】
撮影終了後のパトローネ１１の取り出し作業では、ドライバー等の工具によってヒンジ部６７ａを軸にして底蓋６６を開放する。底蓋６６が開かれると、その開き量に応じた移動量で、連結棒６０がコイルバネ６１の付勢によって下方にスライド移動する。そして、連結棒６０が長さＬ３だけスライド移動すると、図２１に示すように、上端部６０ｂによるレバー部３１の係止が外れ、ねじりバネ３４の付勢で回動部材３０が矢印Ｂ方向に回動して、蓋部材１４が閉じ位置まで回動される。なお、この蓋部材１４が閉じ位置に回動した時点では、遮光壁６６ａの作用によってパトローネ収納室８の遮光が維持されている。この後に、底蓋６６が完全に開かれてパトローネ１１が取り出される。
【００８５】
上記実施形態では、底蓋６６を回動させて開放するようにしているが、底蓋をスライド移動するものとしてもよい。この場合には、底蓋がパトローネ収納室８を完全に閉じている時には、底蓋に連結棒６０の下端面６０ｃが接触するようするとともに、パトローネ１１を取り出す際に、底蓋を僅かに例えば後方にスライド移動した時に、連結棒の下端が底蓋に接触しないようにしたり、底蓋に形成された切り欠き等に落ち込むようにすればよい。また、上記実施形態では、連結棒５０を断面円形にしているが、断面が四角等の棒状であっても構わない。
【００８６】
次に、底蓋の開放に連動して、回動部材を係止するレバーを回動するようにした例について説明する。なお、以下に説明する以外の構成等については、最初の実施形態と同じであり、同じ構成部材には、同符号を付して説明する。
【００８７】
図２２に示すように、パトローネ収納室７０は、その背面側を覆うように壁面７１が形成されている。壁面７１の下方に形成されたピン７１ａには孔７２ａを介してレバー７２が軸着され、このレバー７２は、ピン７１ａを中心にして矢印Ｆ方向に沿って回動自在になっている。レバー７２は、孔７１ａから上方に向かって上面７０ａより突出するように伸びた腕部７３と、逆Ｌ字形状に下方に折り曲げられ、底蓋７５と接触する接触端７４とからなる。レバー７２は、回動中心から腕部７３の端部までの長さを回動中心から接触端７４まで長さに比べて長くすることにより、接触端７４の僅かな移動量で、腕部７３の端部が大きく回動（移動）するようになっている。
【００８８】
回動部材７６は、レバー部７７が背面側に向かって伸びるよう組み付けられ、ねじりバネ７８で矢印Ｂ方向に付勢されて、図中左側から腕部７３に当接し、係止される。レバー７２は、ねじりバネ７８で付勢された回動部材７６に押圧されるが、底蓋７５を閉じた状態では、底蓋７５に接触端７４が当接しているため、レバー７２の矢印Ｆ方向への回動が阻止される。これにより、図２２に示すように、回動部材７６は、ねじりバネ７８の付勢に抗して蓋部材１４を開き位置に回動した位置に保持される。また、底蓋７５を開放した際には、図２３に示すように、接触端７４の底面方向への移動が許容されるため、回動部材７６の押圧で腕部７３が規制ピン７１ｂに当接するまで矢印Ｆ方向に回動する。これにより、回動部材７６は、レバー部７７に腕部７３を係合しながらねじりバネ７５の付勢で矢印Ｂ方向に回動して、蓋部材１４を閉じ位置に回動する。
【００８９】
図２４に示すように、パトローネ収納室８の背面は、本体基部３の背面を遮光する後カバー７９で覆われ、レバー７２の脱落が防止される。また、この後カバー７９には、接触端７４がパトローネ収納室７０の底面側に突出できるようにした開口７９ａが設けられている。底蓋７５は、上記実施形態と同様に、レンズ付きフイルムユニットの側面方向に開放され、蓋部材１４が閉じ位置に回動されるまで、遮光壁７５ａでパトローネ収納室７０の内部を遮光するようにされている。また、底蓋７５には、接触端７４が接触する受け面７５ｂが形成されている。
【００９０】
以上のように構成されたレンズ付きフイルムユニットの作用について簡単に説明する。パトローネ収納室７０の背面側にレバー７０を組み付けてから、回動部材７６と、ねじりバネ７８がそれぞれ組み付けられる。この組み付けられた回動部材７６は、専用の治具等で保持され、蓋部材１４の開き位置に対応した角度位置を保持した状態で後工程に搬送される。
【００９１】
次に、巻上げノブ２４，露光ユニット４０等が組み付けられてから、本体基部３が暗室に搬送されて、写真フイルムパトローネ１０が装填される。この装填では、パトローネ１１は、パトローネ収納室７０の底面側から装填され、引き出された写真フイルム１２は、パトローネ収納室７０のフイルム通路７０ｂ（図２２参照）の底面側の開口を通して本体基部３に装填される。フイルムパトローネ１０を本体基部３に装填した後、後カバー７９が本体基部３の背面に組み付けられ、レバー７０が露呈しないようにされるとともに本体基部３の背面が覆われる。
【００９２】
後カバー７９の組み付け後、底蓋７５が閉じられて本体基部３内は遮光され、回動部材７６を保持していた治具が取り外される。図２２に示すように、底蓋７５の受け面７５ｂと接触端７４とが接触しているため、レバー７２は、治具を取り外しても回動することがなく、回動部材７６は腕部７３に係止されて、蓋部材１４を開き位置の状態に保持する。この後に、前カバー４が前面に組み付けられ、ユニット本体２が完成する。
【００９３】
撮影終了後のパトローネ１１の取り出し作業では、ドライバー等の工具によって底蓋７５を開放する。底蓋７５が開かれると、図２３に示すように、接触端７４の下方への移動が許容され、回動部材７６で押圧されているレバー７２が矢印Ｆ方向に回動する。これにともなって、レバー部７７と腕部７３との係合する位置が図２３で右側に移動し、回動部材６０がねじりバネ７８の付勢で矢印Ｂ方向に回動する。これにより、蓋部材１４が閉じ位置に回動される。この後に、底蓋７５が完全に開かれてパトローネ１１が取り出される。
【００９４】
このようにしても、底蓋７５の開放操作に連動させて蓋部材１４を閉じ位置に回動させてからパトローネ１１を取り出すことができる。なお、レバー７２を用いた場合にも、底蓋をスライド式とすることができる。この場合には、底蓋が僅かに前方にスライド移動した時点で、接触端７４が底蓋と接触しなくなるようにすればよい。
【００９５】
なお、上記各実施形態で説明した底蓋の開放方向は、これに限られないが、底蓋の回動によって連結棒を下方に移動させ、またはレバーの回動を許容し、これにより回動部材が蓋部材の閉じ位置方向への回動を許容するようにしているので、遮光性を十分に確保するために底蓋の僅かな開放量で連結棒のスライド移動量、またはレバーの回動量が大きく得られるように底蓋の開放方向を設定するのがよい。すなわち、連結棒との係合または接触位置、レバーの接触端との接触位置を位置を底蓋の回動中心からできるだけ離れた位置とするのが好ましい。
【００９６】
次に、連結棒を蓋部材１４の軸と平行な軸を中心にして回動させるようにした実施例について説明する。なお、以下に説明する以外の構成等については、最初の実施形態と同じであり、同じ構成部材には、同符号を付して説明する。
【００９７】
図２５、及び図２６に示すように、底蓋８０は、パトローネ収納室８の前後方向に脱着自在にされたスライド式のものになっている。底蓋８０の周囲には、パトローネ収納室８の底面周囲に形成された遮光溝８１に嵌合して、パトローネ収納室８を遮光する遮光用リブ８２が形成されている。遮光用リブ８２が遮光溝８１に入り込む長さは、底蓋８０のスライド方向に十分な長さが与えられており、後述するように底蓋８０を前方にスライドさせて、蓋部材１４が閉じ位置に回動するまでの間に、パトローネ収納室８の内部の遮光性が維持されるようになっている。また、底蓋８０には、連結棒８５の下端側の突起８５ｂを係止するための係止片８３が形成されている。
【００９８】
連結棒８５は、支持部８６に圧入されて、パトローネ収納室８の外側に回動自在に組み付けられている。なお、連結棒８５で２個の支持部８６との間に配される部分は、その径が大きくなっており上下方向に連結棒８５が移動しないようになっている。連結棒８５には、上端に回動部材８１のレバー部８２を係止するための突起８５ａと、下端に底蓋８２に形成された係止片８３と係合される突起８５ｂとが形成され、これらは連結棒８５の径方向に突出するように形成されている。
【００９９】
回動部材８７は、ねじりバネ８８によって矢印Ｂ方向に付勢され、レバー部８９が突起８５ａに係合するように組み付けられる。これにより、突起８５ａがレバー部８９で図２５中で右方向に押圧されるが、底蓋８０がパトローネ収納室８の底面を完全に閉じている状態では、図２７に示すように、係止片８３で突起８５ｂが係止されて、連結棒８０の回動が規制される。このため連結棒８５の上部の突起８５ａがレバー部８９を係止し、回動部材８７が蓋部材１４の開き位置に対応した角度位置に保持される。
【０１００】
底蓋８０が前方にスライド移動されると、図２８に示すように、係止片８３による突起８５ｂの係止が外れる。突起８５ａがねじりバネ８８で付勢された回動部材で矢印Ｂ方向に押圧されているため、連結棒８５は矢印Ｇ方向に回動する。これにともない、突起８５ａも矢印Ｇ方向に回動し、レバー部８９の係止が外れる。これにより、回動部材８７が矢印Ｂ方向に回動して、蓋部材１４が閉じ位置に回動される。なお、図２７，図２８では、説明のために支持部８６等を省略している。
【０１０１】
上記構成によれば、パトローネ１１を取り出す時には、底蓋８０を前方にスライドさせる。これにより、係止片８３が底蓋８０とともに前方にスライド移動する。底蓋８０が僅かにスライド移動した時点で、係止片８３による突起８５ｂの係合がはずれる。したがって、上部の突起８５ａが回動部材８７のレバー部８９に押圧されて矢印Ｇ方向に回動して、回動部材８７の矢印Ｂ方向の回動が許容されるようになり、回動部材８７が矢印Ｂ方向に回動する。これにより、蓋部材１４が閉じ位置に回動される。さらに、底蓋８０を前方に引き出して、パトローネ収納室８の底面を完全に開放し、パトローネ１１を取り出す。
【０１０２】
上記実施形態では、スライド式の底蓋を用いているが、回動して開放するようにした底蓋としてもよい。
【０１０３】
上記各実施形態では、ねじりバネのコイル部分を回動部材に形成したピンに挿入するようにしているが、例えば図２９に示すように、ねじりバネ９０のコイル部９０ａをパトローネ収納室の上面に突設したピン９２に挿入し、一端を回転部材９３の掛けるようにしてもよい。また、回動部材の付勢手段としてはねじりバネに限らず、コイルバネや板バネ等を用いてもよい。
【０１０４】
なお、上記各実施形態では、底蓋を開放することによりパトローネを取り出すようにし、この開放操作に連動して蓋部材を閉じ位置に回動させているが、パトローネ収納室を部分的に開放する以外にも、例えば、ユニット本体の側面すなわちパトローネ収納室の側面やパトローネ収納室の背面側に設けた取出し蓋を開放してパトローネを取り出すようにしたレンズ付きフイルムユニットにも利用することができる。また、ユニット本体の底面あるいは後カバーを外すようにしたものにも適用することができる。
【０１０５】
また、上記各実施形態では、パトローネ収納室の底面側に設けた底蓋の開放操作に連動させてパトローネの蓋部材を閉じ位置に回動するようにしているが、本発明は、これに限定されるものではなく、写真フイルムの最終コマへの撮影操作の終了後からパトローネ取り出を取り出す間に、例えばユニット本体からパトローネを取り出すために必ず行われる他の準備操作に連動させて、パトローネの蓋部材を自動的に閉じ位置に回動してもよい。
【０１０６】
例えば、最終コマまで撮影を行ったことは撮影枚数表示板の回転位置に検出することができるから、撮影枚数表示板の回転位置によって最終コマまでの撮影が行われたこと、あるいは最終コマまでの巻き上げが完了したことを検知してから、巻き上げノブの操作量が写真フイルムを全てパトローネに巻き込むのに充分な操作量に達したことを検知した時点で蓋部材を閉じることができる。
【０１０７】
また、撮影枚数表示板を用いる代わりに、レンズ付きフイルムユニット内のフイルム通路の適当な位置に写真フイルムの有無を検知する部材を設け、この部材によって写真フイルムの先端（スプールに係止されている側と反対側の端部）の通過が検知された時点から、写真フイルムの全てがパトローネに巻き込まれるのに充分な操作量だけ巻き上げノブが操作されたことを検知して蓋部材を閉じることができる。さらには、底蓋を閉じた位置にロックするためのロック装置を用いる場合には、このロック装置のロック解除操作をすることに連動して蓋部材を閉じることができる。
【０１０８】
さらに、パトローネを取り出す際の操作としては、パトローネを取り出すときの底蓋の開放以外にも、ユニット本体と係合して底蓋を閉じ状態に保持するロック位置と、係合を外して底蓋を開放できるロック解除位置との間で回動される底蓋ロック装置の操作としてもよい。
【０１０９】
【発明の効果】
以上詳細に説明したように、本発明のレンズ付きフイルムユニットによれば、パトローネの取り出しの際に底蓋の開放操作等に連動して蓋部材を開き位置から閉じ位置に回動させる蓋部材回動手段を設けたから、パトローネの取り出しに際して、パトローネ収納室の底蓋を開放する操作で蓋部材が閉じ位置に回動されるようになり、蓋部材を閉じ位置に回動する特別な治具や操作が必要ない。また、付勢手段で付勢された回動部材を蓋部材の端部に係合し、底蓋の開放に連動して、連結棒をスライド移動または回動させ、あるいはレバーを回動させて、回動部材が蓋部材の開き位置に保持して係止される位置から回動部材の回動が許容される位置に変位させるようにしたから、簡単な構成で底蓋の開放操作で蓋部材を閉じ位置に回動することができる。
【０１１０】
また、連結棒を係合爪で保持するようにしたから、簡単な動作で連結棒を組み付けることができる。さらに、連結棒に組み付け位置保持手段を設けることにより、組立工程の搬送中に連結棒の組み付け位置が不正規な位置に移動されなくなる。そして、この組み付け位置保持手段を、連結棒の保持する係合爪と当接するように形成した連結棒の凸部とすることにより、部品点数と増加させることなく、搬送中の連結棒のズレを防止することができる。また、回動部材にパトローネ収納室の内壁面と係合する係合爪を設けたから、回動部材を組み付けた後に、搬送中の振動等で回転部材が脱落しない。
【０１１１】
さらに、蓋部材を開閉する回動部材を直接あるいは間接的に閉じ方向にバネ付勢しておき、写真フイルムの最終コマへの撮影操作の終了後、パトローネ取り出しのためにパトローネ収納室の少なくとも一部が開放されるまでの間に回動部材の位置規制を解いて、バネ付勢でこれを回動して蓋部材を自動的に閉じ位置に回動させてフイルム通路を遮蔽するようにしたから、パトローネの取り出し時に作業忘れ等によって蓋部材が開いたままでパトローネが取り出されることがないので、写真フイルムの曝光という致命的なミスを確実に防止することができる。
【０１１２】
また、本発明のレンズ付きフイルムユニットの製造方法によれば、連結棒を回動部材が蓋部材の開き位置に係止する位置に組み付けた後に、回動部材と回動部材を蓋部材の閉じ位置方向に付勢する付勢手段を組み付けてから後工程に搬送するようにしたから、パトローネの装填工程で、回動部材の組み付け位置を調整することなく、蓋部材のキー穴と回動部材のキー軸とを係合することができ、作業効率を向上することができるとともに、回動部材の組み付け位置を調整する装置が必要なくなる。
【図面の簡単な説明】
【図１】本発明のレンズ付きフイルムユニットの要部を示す分解斜視図である。
【図２】レンズ付きフイルムユニットの外観を示す斜視図である。
【図３】蓋部材が開き位置にある写真フイルムパトローネの断面図である。
【図４】蓋部材が閉じ位置にある写真フイルムパトローネの断面図である。
【図５】蓋部材のロック装置を示す要部断面図である。
【図６】回動部材とパトローネ収納室の上面の係合状態を示す要部断面図である。
【図７】底蓋を閉じた状態の回動部材と連結棒の関係を示す要部斜視図である。
【図８】底蓋を閉じた状態の回動部材と連結棒の係合状態を示す平面図である。
【図９】底蓋を開いた状態の回動部材と連結棒の関係を示す要部斜視図である。
【図１０】底蓋を開いた状態の回動部材と連結棒の係合状態を示す平面図である。
【図１１】底蓋の遮光壁と連結棒の突出した端部の長さ関係を示す説明図である。
【図１２】露光ユニットと回動部材とが組み付けられた本体基部の背面側を示す要部斜視図である。
【図１３】回動部材のピンを保持する保持板の別の形状を示す斜視図である。
【図１４】逆止爪の規制ピンを設けた保持板を示す斜視図である。
【図１５】連結棒の組み付け位置保持手段を設けた実施例を示す要部斜視図である。
【図１６】コイルバネの付勢で連結棒をスライド移動させる実施例を示す要部分解斜視図である。
【図１７】同実施例のレンズ付きフイルムユニットの外観を示す斜視図である。
【図１８】同実施例の連結棒と支持部の長さを示す説明図である。
【図１９】同実施例のスペーサとともに連結棒を組み付けた状態を示す要部斜視図である。
【図２０】同実施例の底蓋を閉じた状態の回動部材と連結棒の関係を示す要部斜視図である。
【図２１】同実施例の底蓋を開いた状態の回動部材と連結棒の関係を示す要部斜視図である。
【図２２】底蓋の開放に連動してレバーを回動するようにした実施例の底蓋を閉じた状態の回動部材とレバーの関係を示す要部斜視図である。
【図２３】同実施例の底蓋を開いた状態の回動部材とレバーの関係を示す要部斜視図である。
【図２４】同実施例のレンズ付きフイルムユニットの底面を示す要部斜視図である。
【図２５】連結棒を回動するようにした実施例を示す要部分解斜視図である。
【図２６】同実施例のレンズ付きフイルムユニットの底面を示す要部斜視図である。
【図２７】同実施例の底蓋を閉じた状態の回動部材と連結棒の関係を示す要部斜視図である。
【図２８】同実施例の底蓋を開いた状態の回動部材と連結棒の関係を示す要部斜視図である。
【図２９】回転部材へのねじりバネの別の掛け方を示す要部斜視図である。
【符号の説明】
７，６６，７５，８０  底蓋
８，７０  パトローネ収納室
１１  パトローネ
１２  写真フイルム
１４  蓋部材
１８  キー穴
３０，７６，８７  回動部材
３２  キー軸
３２ｂ  係合爪
３４，７８，８８  ねじりバネ
３５，５０，６０，８５  連結棒
６１  コイルバネ
７２  レバー
【図１】
0003623593.tif 000002
【図２】
0003623593.tif 000003
【図３】
0003623593.tif 000004
【図４】
0003623593.tif 000005
【図５】
0003623593.tif 000006
【図６】
0003623593.tif 000007
【図７】
0003623593.tif 000008
【図８】
0003623593.tif 000009
【図９】
0003623593.tif 000010
【図１０】
0003623593.tif 000011
【図１１】
0003623593.tif 000012
【図１２】
0003623593.tif 000013
【図１３】
0003623593.tif 000014
【図１４】
0003623593.tif 000015
【図１５】
0003623593.tif 000016
【図１６】
0003623593.tif 000017
【図１７】
0003623593.tif 000018
【図１８】
0003623593.tif 000019
【図１９】
0003623593.tif 000020
【図２０】
0003623593.tif 000021
【図２１】
0003623593.tif 000022
【図２２】
0003623593.tif 000023
【図２３】
0003623593.tif 000024
【図２４】
0003623593.tif 000025
【図２５】
0003623593.tif 000026
【図２６】
0003623593.tif 000027
【図２７】
0003623593.tif 000028
【図２８】
0003623593.tif 000029
【図２９】
0003623593.tif 000030